(57)【要約】  【課題】  本発明の目的は、雨水等の貯水施設の掘穴内に設置する樹脂袋を、予め、例えば、工場内で製造するに際し、溶着作業が容易で、それ故、より確実で、より短時間で溶着作業を行うことができる樹脂袋及びこの樹脂袋の製造方法を提供することであり、さらには、この樹脂袋を用いた雨水等の貯水施設の形成方法を提供することにある。  【解決手段】  本発明の雨水等の貯水施設用の樹脂袋２０は、透水性または遮水性のシート３０からなり、その上面が開口している直方体形状または立方体形状の樹脂袋２０であって、この樹脂袋２０は、一対の対向する側面２３において、側面２３の上辺両端隅部ｓからの長さがこの側面２３の高さｈに等しい上辺上の位置ｑと、上辺両端隅部ｓに対応する下辺両端隅部ｐとを各々結ぶ直線状の溶着部２６をそれぞれ２箇所ずつ有していることを特徴とする。  【選択図】  図１
2008082118.tif 000002
【特許請求の範囲】
【請求項１】
透水性または遮水性のシートからなり、その上面が開口している直方体形状または立方体形状の雨水等の貯水施設用の樹脂袋であって、該雨水等の貯水施設用の樹脂袋は、一対の対向する側面において、側面の上辺両端隅部からの長さがこの側面の高さに等しい上辺上の位置と、この上辺両端隅部に対応する下辺両端隅部とを各々結ぶ直線状の溶着部をそれぞれ２箇所ずつ有していることを特徴とする雨水等の貯水施設用の樹脂袋。
【請求項２】
前記雨水等の貯水施設用の樹脂袋は、各側面の上辺に少なくとも１箇所ずつ吊具固定部を有していることを特徴とする請求項１記載の雨水等の貯水施設用の樹脂袋。
【請求項３】
前記雨水等の貯水施設用の樹脂袋は、少なくとも前記上辺四隅及び下辺四隅にこの樹脂袋を直方体形状または立方体形状に保持するための支持体を固定する支持体固定部を有していることを特徴とする請求項１または請求項２いずれかに記載の雨水等の貯水施設用の樹脂袋。
【請求項４】
長さが前記雨水等の貯水施設用の樹脂袋の任意の側面の長さにその側面の高さの２倍を加えたものであり、幅が前記任意の側面に隣接する側面の長さにその側面の高さの２倍を加えたものである長方形または正方形の透水性または遮水性のシートの両端を前記側面の高さに相当する長さ分互いに同一面上で向かい合うように、かつシートの幅方向を揃えて折り返し、しかる後、折り返した前記シートの折り返し辺上の両端から各々側面の高さに相当する長さに等しい位置から折り返したシートの先端隅部に向かって、重なっている下方のシートと上方のシートとを直線状に溶着して溶着部を形成することを特徴とする雨水等の貯水施設用の樹脂袋の製造方法。
【請求項５】
前記溶着部の外側を溶着部に略並行に切断することを特徴とする請求項４記載の雨水等の貯水施設用の樹脂袋の製造方法。
【請求項６】
前記請求項４または請求項５いずれかに記載の方法で製造した雨水等の貯水施設用の樹脂袋を平面状のままで、または折り畳んだ状態で、あるいはまたロール巻きにした状態のいずれかの状態で雨水等の貯水施設の工事現場に運搬し、該雨水等の貯水施設用に地面を掘って形成した掘穴内に前記雨水等の貯水施設用の樹脂袋の開口部を上にしてかつ開口した状態で設置し、しかる後この樹脂袋内に空間保持骨格ブロックで貯水空間を形成することを特徴とする雨水等の貯水施設の形成方法。
【請求項７】
前記掘穴内に設置した請求項２記載の樹脂袋が有している前記吊具固定部に吊具を固定し、前記吊具で樹脂袋の上辺四辺を上方に吊った状態で、この樹脂袋内に空間保持骨格ブロックで貯水空間を形成することを特徴とする請求項６記載の雨水等の貯水施設の形成方法。
【請求項８】
前記掘穴内に設置した請求項３記載の樹脂袋が有している前記支持体固定部に支持体を固定し、前記支持体で支持して樹脂袋を立てた状態で、この樹脂袋内に空間保持骨格ブロックで貯水空間を形成することを特徴とする請求項６または請求項７いずれかに記載の雨水等の貯水施設の形成方法。
【発明の詳細な説明】
【技術分野】
【０００１】
本発明は、例えば、ビルや集合住宅、あるいは戸建の住宅等において、雨水等を防火用や散水用等の用途に使用すべく貯水するための雨水等の貯水施設用の樹脂袋、この樹脂袋の製造方法及びこの樹脂袋を用いた雨水等の貯水施設の形成方法に関するものである。
【背景技術】
【０００２】
従来から、例えば、大雨の際、雨水の急激な河川への流出を防ぐ等の目的から、あるいは雨水を防火用の水として、また花壇や菜園等の散水用の水として利用すべく、ビルや団地周辺の空き地や自転車置き場等の地下に貯水タンクを設け、これに雨水を貯える試みが種々成されてきた。
特に昨今では、夏季の水不足に備えて、新しく団地を建設するような場合には、しばしばこの種の雨水等の貯水施設が設けられるようになってきている。
【０００３】
また最近では、大きなビル等に限らず、戸建ての住宅等でも雨水の利用が考えられるようになって来ている。具体的には、花壇や庭への散水用として、あるいは洗車用に、さらには洗濯用水等への利用が考えられている。
【０００４】
この種の貯水施設の一例を図１１に示す。
図１１に示すように、予め地面１を掘り下げて、例えば、平面形状が長方形の堀穴２を形成し、しかる後この堀穴２の内表面（側面及び底面を含む）に、掘穴２の表面から泥等が貯水空間３側に侵入するのを防止するため、遮水性シートもしくは透水性シートで側面や底面を覆って内張層４を構成する。
【０００５】
内張層４を形成したらこの内張層４内に、例えば、箱型の空間保持骨格ブロック５を複数個、上下縦横に組み上げて、貯水空間３を形成する。貯水空間３が完成したら、最後に貯水空間３上に、例えば樹脂製の天板を敷き詰め、該天板上に遮水性シートもしくは透水性シート（以下、単にシートという。）を被せたり、あるいはこのシート上にさらに土を埋め戻したりして被覆層９を形成し、雨水等の貯水施設としたものである。
尚、天板を敷き詰める前にシートで貯水空間３上を覆い、この上に天板等を被せる場合もある。
【０００６】
ところで図１１において、符号１０は、貯水空間３に雨水を導くための流入口を、符号１１は、この貯水空間３から河川等に接続されている配水管に繋がっている流出口を示している。
【０００７】
前記空間保持骨格ブロック５としては、これまで種々の形状のものが考え出されており、前述した箱型以外にも円筒型、トレイ型等がある。但し、いずれの形状のものでも、内部にできるだけ大きな貯水空間３を構成できること、かつ被覆層９の上からの圧力に対して充分な耐圧強度があること、空間保持骨格ブロック５同士の組立てが容易なこと、等が考慮され、設計されている。
【０００８】
ところで前述した雨水等の貯水施設においては、内張層４をシートで形成する場合、その合わせ目を加熱して溶着し、全体を袋状にしている。
この溶着作業は、予め堀穴２の底面を含む内表面を覆ったシート上に空間保持骨格ブロック５を組み上げ、空間保持骨格ブロック５の設置が完了した時点で行われるもので、前記空間保持骨格ブロック５全体を覆うようにシートの必要個所を溶着して袋状にしていた。
そのためシートの溶着作業を必ず雨水等の貯水施設の建設現場、より具体的には堀穴２の中で行わなければならず、実際に、堀穴２の中に溶着機を持ち込んでこの作業を行っている。それ故に以下のような問題がある。
【０００９】
第１には、貯水施設の建設現場では土を掘り起こしているため、シートに土や泥が付着し易い。そのためまず土や泥をきれいに払ってから溶着作業を行う必要があり、作業が煩雑であり、出来上がった樹脂袋の品質も安定しない。また溶着作業を確実に行うためには、雨天でない日を選ぶ必要がある。すなわち、天候にも左右される。
第２には、溶着作業後、溶着が完全に行われたかどうか、例えば、シートが遮水性シートであれば、その防水性が完全であるかどうかを確認する必要がある。しかしながら、試験設備が整っていない建設現場で、この確認を行うことは極めて難しい。それ故、溶着作業には溶着の失敗がないように、熟練した作業者が必要である。
第３には、この溶着機を建設現場で使用するためには電源が必要で、具体的には移動用の発電機を一緒に持ち歩く必要もある。
【００１０】
これらの問題は、特に戸建ての住宅等に雨水等の貯水施設を設置する場合に顕著になる。すなわち、大規模な雨水等の貯水施設の場合であれば、予め工期に合わせて溶着機や熟練した作業者の手配を行うことは比較的容易である。しかしながら、例えば、戸建ての住宅用の貯水施設のような小規模なものに対しては、作業時間が極めて短いにも係わらず溶着機や熟練作業者を大規模のものと同様に一通り手配しなければならない。また、野外での作業のため、天候にも左右される。
このように従来の方法は多くの問題を有している。とりわけ小規模の貯水施設については、前述のように極めて効率が悪く、結局のところ工事費用が割高になってしまう。また手配がやり難く、工期の設定ができないような場合も起こり得る。
そこでこれら問題を解決すべく、特許文献１や特許文献２に開示された方法が提案されている。
【００１１】
【特許文献１】特開２００１−２７９７３７号公報
【特許文献２】特開２００６−４６０１０号公報
【発明の開示】
【発明が解決しようとする課題】
【００１２】
前述した特許文献１に開示されている貯水施設においては、貯水施設現場でシートの溶着作業を行うのではなく、予め、例えば、工場内でシートを貯水施設の掘穴の形状に合わせた大きさや形状になるように溶着し、袋状にしておくものである。
また、特許文献２に開示されているものは、特許文献１同様に、予め工場内で、シートの必要個所を溶着すると共に、少なくとも１箇所には防水性ファスナーを取付けておくものである。
【００１３】
このように予め工場の中で溶着作業を済ませた上部が開口した透水性または遮水性のシート製の樹脂袋（以下、単に樹脂袋という。）であれば、トラックで貯水施設の工事現場に運び、単に掘穴内に上部を開口した状態で設置するだけでよいため、前述した工事現場で溶着作業を行う問題点はほぼすべて解決することができる。
【００１４】
ところが特許文献１に開示されている樹脂袋１４では、１枚のシートから樹脂袋を形成しているが、図１２に示すように隣接する側面１６同士の隅部を形成する場合は、図のように隅部を折り込んで、隅部１７に加えて折り返した部分１８の２箇所の線状部分を溶着しなければならない。
そのため、樹脂袋１４が大きくて、運搬の際畳み込んで運ぶ必要がある場合には、４つある隅部が厚く、すなわち、図１２に示すようにシートが３重に重なっていて厚く、しかもこの部分には溶着部が２箇所隣接して存在するため、極めて畳み難い。また畳んだ後もこの上に更に畳んだ樹脂袋を重ねたり、他のものを載せたりすると、四つの隅部に他の部分より力が負荷し易い、という問題がある。その結果、最悪の場合、溶着部分が破損する、という問題が起こる可能性もある。
また、溶着部１７の一端では底面１５と側面１６、１６とが互いに直角になっていて平面状にして溶着作業を行うことができない。そのため、立体状態で溶着作業を行わなければならないが、平面状態での溶着と異なり溶着作業を行い難く、それ故に作業に時間が掛かる、という問題もある。
さらには、溶着箇所が溶着部１７、１８と四隅各々２箇所ずつ存在するため、溶着作業に時間が掛かる、という問題もある。
【００１５】
一方、特許文献２に開示されている樹脂袋の場合も、特許文献１記載の発明と同様に、溶着部では底面と隣接する２側面とが互いに直角になっているため、溶着作業を行い難い、という問題がある。特に、防水性ファスナーを取付ける際、ファスナーの一端の溶着開始点の溶着が完全に角部に存在するため、溶着作業がとりわけ難しく、確実に防水性を確保できるように取り付けることが難しい、という問題がある。
また、防水性ファスナーを用いずにシート同士を直接溶着することも可能であるが、この場合でも、シートを立体形状にした状態で溶着作業を行わねばならない。その結果、溶着の開始点または終点のいずれかに相当する樹脂袋の底面端部の溶着が難しく、水漏れ等の原因になる可能性が高い。
【００１６】
前述の問題に鑑み本発明の目的は、雨水等の貯水施設の掘穴内に設置する樹脂袋を、予め、例えば、工場内で製造するに際し、溶着作業が容易で、それ故、より確実で、より短時間で溶着作業を行うことができる樹脂袋及びこの樹脂袋の製造方法を提供することであり、さらには、この樹脂袋を用いた雨水等の貯水施設の形成方法を提供することにある。
【課題を解決するための手段】
【００１７】
前記目的を達成すべく本発明の請求項１記載の雨水等の貯水施設用の樹脂袋は、透水性または遮水性のシートからなり、その上面が開口している直方体形状または立方体形状の雨水等の貯水施設用の樹脂袋であって、該雨水等の貯水施設用の樹脂袋は、一対の対向する側面において、側面の上辺両端隅部からの長さがこの側面の高さに等しい上辺上の位置と、この上辺両端隅部に対応する下辺両端隅部とを各々結ぶ直線状の溶着部をそれぞれ２箇所ずつ有していることを特徴とするものである。
【００１８】
また請求項２記載の雨水等の貯水施設用の樹脂袋は、請求項１記載の雨水等の貯水施設用の樹脂袋において、前記雨水等の貯水施設用の樹脂袋は、各側面の上辺に少なくとも１箇所ずつ吊具固定部を有していることを特徴としている。
さらに請求項３記載の前記雨水等の貯水施設用の樹脂袋のように、請求項１または請求項２いずれかに記載の雨水等の貯水施設用の樹脂袋において、少なくとも前記上辺四隅及び下辺四隅にこの樹脂袋を直方体形状または立方体形状に保持するための支持体を固定する支持体固定部を有していることも特徴にしている。
【００１９】
さらにまた、請求項４記載の雨水等の貯水施設用の樹脂袋の製造方法は、長さが前記雨水等の貯水施設用の樹脂袋の任意の側面の長さにその側面の高さの２倍を加えたものであり、幅が前記任意の側面に隣接する側面の長さにその側面の高さの２倍を加えたものである長方形または正方形の透水性または遮水性のシートの両端を前記側面の高さに相当する長さ分互いに同一面上で向かい合うように、かつシートの幅方向を揃えて折り返し、しかる後、折り返した前記シートの折り返し辺上の両端から各々側面の高さに相当する長さに等しい位置から折り返したシートの先端隅部に向かって、重なっている下方のシートと上方のシートとを直線状に溶着して溶着部を形成することを特徴としており、この請求項４記載の雨水等の貯水施設用の樹脂袋の製造方法において、前記溶着部の外側を溶着部に略並行に切断することも特徴としている。
【００２０】
加えて、請求項６記載の雨水等の貯水施設の形成方法は、前記請求項４または請求項５いずれかに記載の方法で製造した雨水等の貯水施設用の樹脂袋を平面状のままで、または折り畳んだ状態で、あるいはまたロール巻きにした状態のいずれかの状態で雨水等の貯水施設の工事現場に運搬し、該雨水等の貯水施設用に地面を掘って形成した掘穴内に前記雨水等の貯水施設用の樹脂袋の開口部を上にしてかつ開口した状態で設置し、しかる後この樹脂袋内に空間保持骨格ブロックで貯水空間を形成することを特徴としている。
【００２１】
加えて、請求項７記載の雨水等の貯水施設の形成方法は、請求項６記載の雨水等の貯水施設の形成方法において、前記掘穴内に設置した請求項２記載の樹脂袋が有している前記吊具固定部に吊具を固定し、前記吊具で樹脂袋の上辺四辺を上方に吊って状態で、この樹脂袋内に空間保持骨格ブロックで貯水空間を形成することを特徴とするものであり、請求項８記載の発明は、請求項６または請求項７いずれかに記載の雨水等の貯水施設の形成方法において、前記掘穴内に設置した請求項３記載の樹脂袋が有している前記支持体固定部に支持体を固定し、支持体で支持して樹脂袋を立てた状態で、この樹脂袋内に空間保持骨格ブロックで貯水空間を形成することを特徴とするものである。
【発明の効果】
【００２２】
このように本発明によれば、雨水等の貯水施設の掘穴内に設置する樹脂袋を、例えば、予め工場内で製造するに際し、溶着作業が容易で、それ故、より確実で、より短時間で溶着作業を行うことの可能な樹脂袋及びこの樹脂袋の製造方法を提供すると共に、この樹脂袋を用いた雨水等の貯水施設の形成方法を提供することができる。
【発明を実施するための最良の形態】
【００２３】
以下に本発明の雨水等の貯水施設用の樹脂袋の一実施例を、図１〜図５を用いて詳細に説明する。
【００２４】
図１は、図１１に示す雨水等の貯水施設の掘穴２の大きさに合わせて作った、例えば、遮水性のシートからなる樹脂袋２０で、上面２１は開口された状態になっていて、長さがｍ、幅がｎ、そして高さ（深さ）がｈの直方体の形状をしている。ここで、本明細書では、長さｍは、幅ｎよりも長い寸法であるものとする。
図１で、符号２２は底面を、符号２３、２３は対向する１組の側面を、そして符号２４、２４は他方の対向する側面をそれぞれ示している。そして後述する樹脂袋２０の製造方法で説明するように、この樹脂袋２０の特徴は、一対の対向する側面、例えば、側面２３、２３において、この側面２３の上辺両端隅部ｓからの長さがこの側面２３の高さｈに等しい上辺上の位置ｑと、この上辺両端隅部ｓに対応する下辺両端隅部ｐとを各々結ぶ直線状の溶着部２６をそれぞれ２箇所ずつ有している点にある。
このような形状の樹脂袋２０を、本発明の方法で製造する手順を以下に説明する。
【００２５】
まず、図２に示すような大きさの長方形のシート、例えば、遮水性のシート（以下、単にシートという。）３０を用意する。このシート３０の長さＬは、樹脂袋２０の任意の側面、例えば、側面２３の長さｍ（底面２２の長さｍに等しい）にその側面２３の高さｈ（樹脂袋２０の深さｈに等しい）の２倍を加えたものであり、幅Ｗは、例えば、側面２３に隣接する側面２４の長さｎ（底面２２の幅ｎに等しい）にその側面２４の高さｈの２倍を加えたものである。ここでも長さＬは、幅Ｗよりも大きな寸法であるものとする。
次に、このシート３０の両端を、側面２３の高さ（樹脂袋２０の深さ）ｈに相当する長さ分、互いに同一面上で向かい合うように、かつシート３０の幅方向を揃えて折る。具体的には、図１の点線で示す位置で、各々矢印が示す方向にシート３０を折る。
【００２６】
折った状態を図３に示す。図３に示すように、シート３０の両端を内側に向けて折ったら、次に、折り返したシート３０の折り返し辺（図２において点線で示した辺）上に、辺の両端から各々側面２３の高さｈに相当する長さに等しい位置ｐにそれぞれマークを入れる。図３に示すようにｐ点は、各々の折り返し辺上に２点ずつ、計４点存在する。
続いて、各ｐ点から折ったシート３０のそれぞれの先端隅部ｑに向かって、折り重なっている下方のシートと上方のシートとを溶着機を用いて直線状に溶着して溶着部２６を形成する。図３では、この溶着部２６形成前の直線状の溶着個所２５を一点鎖線で示している。溶着を行う際には、必要なら、ｐ点とｑ点をそれぞれ筆記用具等で結び、溶着個所２５を見易くした後、これも必要なら金属製のガイドを溶着個所２５に並行に添わせた状態で溶着を行えば、より確実に、かつより直線状にきれいに溶着を行うことができる。
ところで、ｐ点、ｑ点を結ぶ線は、図３に示すように隣接する辺に対して４５°の角度を有している。因みに、４５°でないと、シート３０の必要箇所をすべて溶着後、袋状にしたとき、隣接する側面２３と側面２４の高さが一致しないから、４５°に形成する必要がある。
４個所すべての溶着作業が完了したら、図４に示すように、溶着部２６の外側の不要部分２７を溶着部２６に略並行に、挟み等の切断具で切断する。もちろん、不要部分２７の切断除去は、雨水等の貯水施設の工事現場で切断してもよいし、邪魔でなければ切断しないで樹脂袋２０に残したままにしておいてもよい。尚、図４の辺２０ａ、２０ａを掴んでで広げれば容易に袋状にすることができる。
【００２７】
前述した本発明の樹脂袋２０の製造方法における利点は、例えば、床面上あるいは平面状の作業台上で、溶着する個所を平面状に置いた状態で溶着できる点にある。そのため、溶着時シート３０の溶着個所２５に一定、かつ均一な溶着圧力を加えた状態で溶着作業を進めることができる。
このように、シート全体を平面状に保持したまま、溶着作業を進めることができるため、溶着姿勢が楽で、かつ安定するため、溶着作業が極めてやり易く、それ故、短時間に水漏れ等異常個所のない溶着部２６を、極めて高い品質レベルで作り出すことができる。また、溶着作業がやり易いことから、従来ほど熟練した作業者を必要としない利点もある。
【００２８】
また、特許文献１に開示されている樹脂袋では、１箇所の隅部に溶着部が計２個所存在するが、本発明の樹脂袋２０では溶着部２６は一隅に１箇所で済む。それ故、溶着作業時間も短縮可能である。
また、例えば、図４に示すように樹脂袋２０を溶着した状態のまま、すなわち、平面状にしたままで運ぶ場合も、あるいは適当な大きさに畳んだり、ロール状に巻いたりして運搬する場合にも、溶着部２６が少ないため、より嵩張り難く、運搬作業が容易になる。
【００２９】
図５は、図２〜図４に示す手順に従って製造した樹脂袋２０を示すもので、図５（ａ）は、袋状にした状態の平面図、図５（ｂ）は側面図をそれぞれ示している。図５（ｂ）に示すように、側面２３には、側面２３の上辺両端隅部ｓからの長さがこの側面２３の高さｈに等しい上辺上の位置ｑと、この上辺両端隅部ｓに対応する下辺両端隅部ｐとを各々結ぶ直線状の溶着部２６がそれぞれ２箇所ずつ存在する。因みに、この側面２３と対向する側面２３の外面にも２箇所の溶着部２６が同じ位置に存在する。
ところで、図２に示すシート３０に、図６で点線にて示すように、最終的に袋状にする際の折り目を最初に入れておくと、図４のように不要部分２７を切り落とした後、図１に示すように袋状にする際、作業が容易になる。
【００３０】
また、図７に示すように、樹脂袋２０の開口部を形成する上辺４辺の中央位置に、例えば、リング状の吊具固定部２８を設けておくこともできる。
このようにしておけば、この樹脂袋２０内に空間保持骨格ブロック５を上下縦横に積むブロック組立作業時、各吊具固定部２８にロープを結び、樹脂袋２０の側面２３、２３、２４及び２４を上方に引っ張って吊るしておくことができる。その結果、作業中樹脂袋２０を袋形状に維持し易くなるため、樹脂袋２０内での作業がやり易くなり好ましい。
尚、図７では、図を簡単にするため、吊具固定部２８を各上辺中央部に１箇所ずつしか取付けていないが、樹脂袋２０が大型で、辺の長さが長い場合には、その長さに応じて吊具固定部２７を必要数装着すればよい。
【００３１】
また、図８に示すように、樹脂袋２０の、少なくとも上辺の四隅及び下辺の四隅にこの樹脂袋２０を直方体形状または立方体形状に保持するための支持体２９を固定する支持体固定部３１を設けておいてもよい。
具体的には、金属棒やプラスチック棒等の支持体２９を装着、固定できるリングとか、結んで固定できる紐等で支持体固定部３１を形成しておけばよい。また一点鎖線で示すような形状をした支持体２９を用いることもできる。また、垂直方向だけでなく水平方向にも支持体２９を差し渡すための支持体固定部３１を各隅に設けておいてもよい。
このようにすれば、樹脂袋２０内で空間保持骨格ブロック５を組み立てる際、樹脂袋２０が袋の形状を保持できるため作業が容易になり、好ましい。
【００３２】
また、図７に示す樹脂袋２０の高さ（深さ）を少し大きめに作っておけば、最終的に樹脂袋２０の内部に空間保持骨格ブロック５による貯水空間３を完成させた後、吊具固定部２８に紐を通して、巾着の如く絞れば、樹脂袋２０の上部の開口部を容易に閉じることができる利点もある。
【００３３】
さらにまた、図８に示すものにあっては、樹脂袋２０を工場から運び出す際に、図８における支持体２９を樹脂袋２０の運搬具として使用することもでき、あえて別途パレット等を準備する必要がなく経済的にも好ましい。
【００３４】
前記実施例では、シート３０として遮水性のシートを用いているが、透水性のシートを用いる場合も同様である。また樹脂袋２０の形状も、掘穴２の形状が立方体であれば、この掘穴２に合わせて立方体形状にする。
尚、言うまでもないが、一般的には、雨水等の貯水施設が貯水を目的とする場合には遮水性のシートを、また豪雨のとき水害を防ぐべく雨水等を一時的に貯水するような場合には透水性のシートが使われる。それ故、貯水施設の用途、目的に応じて樹脂袋２０のシートを透水性のものにするか遮水性のものするか適宜選択する。
【００３５】
このように工場内で製造された樹脂袋２０が、もし戸建用住宅の貯水施設のように小型のもの、具体的には、貯水量が１ｍ３〜５ｍ３程度の小型のものであれば、図４に示すように平面状のままトラック等で運搬すればよいし、もしマンションやビル等の大型の集合住宅用のものであって、大きなものであれば、適当な大きさに折り畳んだり、ロール状に巻いて運搬すればよい。
このようにして樹脂袋２０を雨水等の貯水施設の工事現場に運んだら、樹脂袋２０の大きさや工事現場の条件に応じて、例えば、図７、図８に示すような方法で、掘穴２内に樹脂袋２０を設置し、その内部に空間保持骨格ブロック５を組み上げて貯水空間３を形成する。
【００３６】
以上説明したように、本発明の樹脂袋２０であれば、シートを平面状に保持したままの状態で溶着作業を進めることができるため、工場内での作業も極めて容易で、短時間に、かつ効率良く、品質の高いものを得ることができる。
加えて、工場内での製造のため、防水性のチェックを行うための試験装置の設置も容易で、必要なら、各樹脂袋の防水試験も簡単に行うことができる。また、従来と異なり溶着作業が容易になった分、あえて溶着作業に熟練した作業者を用意する必要もない。さらにまた、雨水等の貯水施設の建設に際しても、樹脂袋の運搬も容易になり、加えて、従来ほど天候や、熟練溶着作業者の手配に縛られることも少なくなり、建設工事がやり易くなる利点もある。
【００３７】
以上のようにしてなる本発明によれば、雨水等の貯水施設の掘穴内に設置する樹脂袋を、例えば、予め工場内で製造するに際し、溶着作業が容易で、それ故、より確実で、より短時間で溶着作業を行うことの可能な樹脂袋及びこの樹脂袋の製造方法を提供できるとともに、この樹脂袋を用いた雨水等の貯水施設の形成方法を提供することができる。
【図面の簡単な説明】
【００３８】
【図１】本発明の雨水等の貯水施設用の樹脂袋の一実施例を示す斜視図である。
【図２】図１に示す樹脂袋を製造するためのシートの平面図である。
【図３】図１に示す樹脂袋の製造方法の手順を示す平面図である。
【図４】図１に示す樹脂袋の製造方法で、図３に示す手順の後の手順を示す平面図である。
【図５】図２〜図４の手順で製造した本発明の樹脂袋を示すもので、（ａ）は平面図、（ｂ）は側面図である。
【図６】本発明の雨水等の貯水施設用の樹脂袋の製造に際して、シートに予め施した折り目の位置を示す平面図である。
【図７】本発明の雨水等の貯水施設用の樹脂袋の別の実施例を示す斜視図である。
【図８】本発明の雨水等の貯水施設用の樹脂袋のさらに別の実施例を示す斜視図である。
【図９】本発明の雨水等の貯水施設用の樹脂袋のさらに別の実施例を示す正面図である。
【図１０】本発明の雨水等の貯水施設用の樹脂袋の運搬時の保管状態の一例を示す平面図である。
【図１１】一般的な雨水等の貯水施設の断面図である。
【図１２】従来の雨水等の貯水施設用の樹脂袋の一部斜視図である。
【符号の説明】
【００３９】
１  地面
２  掘穴
３  貯水空間
４  内張層
５  空間保持骨格ブロック
２０  樹脂袋
２１  開口部
２２  底面
２３、２４  側面
２５  溶着個所
２６  溶着部
２８  吊具固定部
２９  支持体
３０  シート
３１  支持体固定部
【図１】
2008082118.tif 000003
【図２】
2008082118.tif 000004
【図３】
2008082118.tif 000005
【図４】
2008082118.tif 000006
【図５】
2008082118.tif 000007
【図６】
2008082118.tif 000008
【図７】
2008082118.tif 000009
【図８】
2008082118.tif 000010
【図９】
2008082118.tif 000011
【図１０】
2008082118.tif 000012
【図１１】
2008082118.tif 000013
【図１２】
2008082118.tif 000014